(57)【特許請求の範囲】
【請求項１】
口部が破断可能な密封シートにより密封された容器本体と、該容器本体の口部に装着された上蓋とを備え、
上蓋は、密封シートの上方に配設される天面壁と、天面壁の周縁に連設し口部に固定される装着部とを備え、天面壁に形成された開口部には一対の支持部によって天面壁と連設された開封刃が配設されており、
開封刃は、前端に切断刃を有する刃部と、後端に把持部を有する操作部とが、タブヒンジと、タブヒンジより上方に設けられた破断可能な弱化部を有するブリッジとにより連結されて一体に形成され、刃部の両側端面から突設された一対の前記支持部は、両端ヒンジを介して天面壁に連設されて開封刃を回動可能に支持するとともに、開封刃が回転して切断刃が密封シートを破断したときに、天面壁と係合し刃部が元の位置に戻ることを阻止する係合部を有し、
開口部に面する天面壁には、操作部を押し下げたときに当接し、かつ、乗り越え可能なストッパが突設されていることを特徴とする開封刃付き容器。
【請求項２】
一対の支持部は、タブヒンジとブリッジで操作部に連設する刃部の後端部の両側端面から突設され、前方で両端ヒンジを介して天面壁に連設していることを特徴とする請求項１記載の開封刃付き容器。
【請求項３】
タブヒンジと両端ヒンジは、変形可能な薄肉部で形成されていることを特徴とする請求項１または２記載の開封刃付き容器。
【請求項４】
係合部は、支持部の下部に設けられ、開封刃の回転によって開口部に面する天面壁を乗り越えるとともに、同天面壁に形成された段部に係合する突出部を有することを特徴とする請求項１〜３のいずれかに記載の開封刃付き容器。
【請求項５】
ストッパは、操作部の両側端面に開口部を介して向かい合う天面壁に突設された一対の突出リブであり、該突出リブは、開封前の開封刃に対して、操作部の下面に接するか、または、操作部の下面よりわずかに下方に位置し、操作部を所定の大きさ以上の力で下方に押し下げたときに両側端面が乗り越え可能な突出高さを有することを特徴とする請求項１〜４のいずれかに記載の開封刃付き容器。
【発明の詳細な説明】
【技術分野】
【０００１】
本発明は、口部が破断可能なシートによって密封された容器本体と、該シートを破断して開口を形成する開封刃を有する上蓋とを具えた開封刃付き容器に関し、とくに、開封後に内容物を注出ないし取り出す際、開封刃が妨げにならないようにした開封刃付き容器に関するものである。
【背景技術】
【０００２】
開封刃付き容器として、容器本体に嵌着される上蓋の天面壁が容器本体の口部を密封するシートの上方に配置され、一端に刃部を有し他端に操作部を有する開封刃が、天面壁の開口部に一対の支持片によって連結されて配設されており、操作部を引き上げることによって支持片をねじり変形させながら開封刃を回転させて、刃部で前記シートを押し切り破断させるようにしたものが従来より知られている（例えば、特許文献１参照）。
【先行技術文献】
【特許文献】
【０００３】
【特許文献１】特許第５３９５４８５号公報
【発明の概要】
【発明が解決しようとする課題】
【０００４】
しかしながら、上記特許文献１記載の開封刃を有するオーバキャップ付き容器では、シートを破断した後の開封刃は、支持片がねじり変形から復元することにより、開封前の元の位置、すなわち、水平状態でシート上方に位置することとなり、破断したシートの開口から内容物を注出する際の妨げとなることがあった。
とくに、飲料を充填した容器では、上蓋に唇をつけて内容物を飲む際に、開封刃が邪魔になって飲みにくいという問題があった。
【０００５】
本発明は、上記問題を解決することを課題とし、容器本体に装着された上蓋に回動可能に連結された開封刃が、密封シートを破断して容器を開封した後に、内容物を注出する際の妨げとならないようにした開封刃付き容器を提供することを目的とする。
【課題を解決するための手段】
【０００６】
本発明は、上記の課題を解決するため、開封刃付き容器として、口部が破断可能な密封シートにより密封された容器本体と、該容器本体の口部に装着された上蓋とを備え、上蓋は、密封シートの上方に配設される天面壁と、天面壁の周縁に連設し口部に固定される装着部とを備え、天面壁に形成された開口部には一対の支持部によって天面壁と連設された開封刃が配設されており、開封刃は、前端に切断刃を有する刃部と、後端に把持部を有する操作部とが、タブヒンジと、タブヒンジより上方に設けられた破断可能な弱化部を有するブリッジとにより連結されて一体に形成され、刃部の両側端面から突設された一対の前記支持部は、両端ヒンジを介して天面壁に連設されて開封刃を回動可能に支持するとともに、開封刃が回転して切断刃が密封シートを破断したときに、天面壁と係合し刃部が元の位置に戻ることを阻止する係合部を有し、開口部に面する天面壁には、操作部を押し下げたときに当接し、かつ、乗り越え可能なストッパが突設されていることを特徴とする構成を採用する。
【０００７】
開封刃付き容器の具体的実施形態として、一対の支持部は、タブヒンジとブリッジで操作部に連設する刃部の後端部の両側端面から突設され、前方で両端ヒンジを介して天面壁に連設していることを特徴とする構成、また、タブヒンジと両端ヒンジは、変形可能な薄肉部で形成されていることを特徴とする構成を採用する。
【０００８】
開封刃付き容器のさらなる具体的実施形態として、係合部は、支持部の下部に設けられ、開封刃の回転によって開口部に面する天面壁を乗り越えるとともに、同天面壁に形成された段部に係合する突出部を有することを特徴とする構成、また、ストッパは、操作部の両側端面に開口部を介して向かい合う天面壁に突設された一対の突出リブであり、該突出リブは、開封前の開封刃に対して、操作部の下面に接するか、または、操作部の下面よりわずかに下方に位置し、操作部を所定の大きさ以上の力で下方に押し下げたときに両側端面が乗り越え可能な突出高さを有することを特徴とする構成を採用する。
【発明の効果】
【０００９】
本発明の開封刃付き容器は、開封刃の刃部と操作部とが、タブヒンジと、弱化部を有するブリッジとにより連結されて一体に形成され、刃部の両側端面から突設された一対支持部が、両端ヒンジを介して天面壁に連設されて開封刃を回動可能に支持するとともに、開封刃が回転して切断刃が密封シートを破断したときに、天面壁と係合し刃部が元の位置に戻ることを阻止する係合部を有し、開口部に面する天面壁には、操作部を押し下げたときに当接し、かつ、乗り越え可能なストッパが突設されているから、開封刃を開封方向に回転させるときには、ブリッジによって連結された刃部と操作部が一体に回転し、密封シートを破断開口した後は、係合部によって刃部を下方に回転した位置に保持することができるとともに、ブリッジを弱化部で切り離すことによって操作部だけを押し下げることができる。
そして、ストッパによって操作部を下方に押し下げた状態に保持することができるから、内容物を注出する際に開封刃の刃部が妨げになることがないとともに、上蓋に唇をつけて内容物を飲む場合でも、開封刃の操作部が邪魔になって飲みにくいということがないという顕著な効果を奏する。
【図面の簡単な説明】
【００１０】
【図１】開封刃付き容器の実施例の斜視図である。
【図２】実施例開封刃付き容器の上蓋を示す図であり、（ａ）は平面図、（ｂ）は図（ａ）のＸ−Ｘ線断面矢視図である。
【図３】実施例開封刃付き容器の要部断面拡大図であり、（ａ）は図２（ｂ）の要部Ｆ拡大図、（ｂ）は図２（ａ）のＹ−Ｙ線断面矢視拡大図、（ｃ）は同Ｚ−Ｚ線断面矢視拡大図である。
【図４】実施例開封刃付き容器の開封操作を開始したときの状態を示す図であり、（ａ）は図２（ａ）のＸ−Ｘ線位置における断面矢視図、（ｂ）は図（ａ）の要部拡大図、（ｃ）は図２（ａ）のＺ−Ｚ線位置における断面矢視拡大図である。
【図５】実施例開封刃付き容器の開封操作において、突出部が段部に係合したときの状態を示す図であり、図４と同様に、（ａ）は図２（ａ）のＸ−Ｘ線位置における断面矢視図、（ｂ）は図（ａ）の要部拡大図、（ｃ）は図２（ａ）のＺ−Ｚ線位置における断面矢視拡大図である。
【図６】実施例開封刃付き容器の開封操作において、ブリッジの弱化部が破断したときの状態を示す図であり、図４と同様に、（ａ）は図２（ａ）のＸ−Ｘ線位置における断面矢視図、（ｂ）は図（ａ）の要部拡大図、（ｃ）は図２（ａ）のＺ−Ｚ線位置における断面矢視拡大図である。
【図７】実施例開封刃付き容器の開封操作が完了した状態を示す図であり、図４と同様に、（ａ）は図２（ａ）のＸ−Ｘ線位置における断面矢視図、（ｂ）は図（ａ）の要部拡大図、（ｃ）は図２（ａ）のＺ−Ｚ線位置における断面矢視拡大図である。
【発明を実施するための形態】
【００１１】
次に、本発明の開封刃付き容器について、実施例を示した図面を参照して説明する。
【実施例】
【００１２】
図１〜７において、Ａは容器本体、Ｂは上蓋、Ｃは開封刃である。
本実施例の開封刃付き容器は、容器本体Ａと、容器本体Ａの開口部を形成する口部１を覆って装着される上蓋Ｂとからなり、上蓋Ｂには開封刃Ｃが一体に設けられている。
容器本体Ａの内部には、コーヒーや紅茶などの飲料が充填され、図４〜７に示すように、容器本体Ａの口部１には、容器内部を密封してフランジ部２に貼着される密封シート３が設けられている。
なお、容器本体Ａに充填される内容物は飲料に限定されず、粒状の食料品など種々の用途に利用可能である。
【００１３】
図２に示すように、上蓋Ｂは、下部内周にフランジ部２に嵌合する環状凹部８を有し、上部に支持壁９を立設した装着部５と、支持壁９の内周に連設されて密封シート３の上方に配置された天面壁６とからなっている。
天面壁６には、径方向に長い略長方形の開口部Ｓが形成され、開口部Ｓには、支持部１０によって天面壁６に連設された開封刃Ｃが配設されている。
【００１４】
開封刃Ｃは、径方向を長手方向とする全体として略板状をなしており、前端に下方に折曲する切断刃１２と、後端に手指が下面に入りやすいように若干高く形成された把持部１３とを有し、両側端面１１は天面壁６との間に開口部Ｓのわずかな隙間を隔てている。
開封刃Ｃは、長手方向の略中央付近で、切断刃１２を有する刃部１４と、把持部１３を有する操作部１８とが、タブヒンジ１５とタブヒンジ１５の両側２箇所に設けられた一対のブリッジ１６とにより連結している。
なお、把持部１３は手指でつかみやすい形状であればよく、手指を挿入する孔を設けてもよいし、開口部Ｓとの隙間が手指を挿入するに十分に大きければ操作部１８全体を平板状にしてもかまわない。
また、本実施例ではタブヒンジ１５の両側２箇所にブリッジ１６を設けたが、逆に中央にブリッジ１６を設け、その両側にタブヒンジ１５を設けてもよいし、それぞれ複数のタブヒンジ１５とブリッジ１６を適宜箇所に設けてもよい。
【００１５】
図３（ａ）に示すように、タブヒンジ１５は、開封刃Ｃの幅方向中央付近に設けられた刃部１４の下端部と操作部１８の下端部とを連結する薄肉部であり、図３（ｂ）に示すように、ブリッジ１６は、平面視における幅および高さ方向の肉厚が、刃部１４の後端面１９の上端部に連結する部位でもっとも小さくなる弱化部２０を形成している。
本実施例では、タブヒンジ１５は刃部１４と操作部１８との下端部で連結し、ブリッジ１６は刃部１４と操作部１８との上端部で連結しているが、連結部位は必ずしも上下端部でなくともよく、弱化部２０が少なくともタブヒンジ１５より上方位置にあればよい。
また、弱化部２０は所定の強度を有し、かつ破断可能であれば、形状は本実施例に限定されない。
【００１６】
図２（ａ）に示すように、刃部１４の後端部の両側端面１１には、後端面１９を共有して一対の支持部１０が外方に突設されている。
天面壁６には、開封刃Ｃの両側端面１１に開口部Ｓを介して向き合う側壁２２が設けられ、一対の支持部１０は、側壁２２に設けられた凹所２３内でそれぞれ薄肉の両端ヒンジ２５によって側壁２２に連設している。
両端ヒンジ２５は、支持部１０の前面上端部で凹所２３の前方の側壁２２と連設しているが、開封刃Ｃの回転を許容するものであれば必ずしも支持部１０の前方に配置される必要はなく、たとえば支持部１０の側方と凹所２３の側方の側壁２２とを連設するものであってもよい。
【００１７】
図３（ｃ）に示すように、支持部１０の下部には、切欠き部２６が形成されることによって下方に向けて突出部２７が後方寄りに設けられ、突出部２７の切欠き部２６と反対側、すなわち後端面１９側の角部にはＲがつけられ、丸みをおびている。
支持部１０の後端面１９に向き合う側壁２２には、所定高さで下部が突出する段部２８が形成され、開封刃Ｃが回転すると突出部２７が係合するようになっている。
突出部２７が本発明の係合部を構成しているが、係合部としては、開封刃Ｃの復帰方向への回転を阻止することができるものであれば、種々の係合形態を採用することが可能である。
【００１８】
開封刃Ｃの両側端面１１に向き合う側壁２２には、上端が把持部１３の下面に接するか、または把持部１３の下面よりわずかに下方に位置するように一対の突出リブ２９が突設され、誤って操作部１８に力が加わったり容器を落下させたりして、不用意に開封刃Ｃが回転しないようにストッパの役割を果たす。
また、突出リブ２９は、操作部１８を所定の大きさ以上の力で下方に押し下げたときには両側端面１１が乗り越え可能な突出高さを有するように形成されている。
なお、本実施例ではストッパを側壁２２に設けた一対の突出リブ２９としたが、側壁２２に限らず開口部Ｓに面した天面壁６の適宜箇所にストッパを設けてもよく、一対でなく１つでもよい。
【００１９】
本実施例では、上蓋Ｂは合成樹脂により一体成形されているが、本発明はこれに限定されず、他の材料や製法を用いてもよい。
また、開封刃付き容器には、上蓋Ｂに着脱可能な図示しないカバーキャップを取り付け、開封前における開封刃Ｃの誤動作を防止するとともに、上蓋Ｂの内側を清潔に保つようにすることができる。
【００２０】
次に、本実施例の使用態様と作用効果について図面を参照しながら説明する。
図２，３に示すように、開封前の水平状態にある開封刃Ｃは、把持部１３の下面直下に突出リブ２９が設けられるとともに、支持壁９が切断刃１２に近接して誤って手が触れることを防止しているので、不用意に回動することなく水平状態が保たれるようになっている。
【００２１】
図４に示すように、把持部１３に手指をかけて操作部１８を上方に引き上げると、刃部１４はタブヒンジ１５とブリッジ１６とによって操作部１８と一体に連結されているので、開封刃Ｃは両端ヒンジ２５を変形させながら両端ヒンジ２５を支点に回転を始め、切断刃１２が密封シート３を押し切って開封するようになる。
このとき、図４（ｃ）に示すように、支持部１０は、下部に設けられた突出部２７が凹所２３の側壁２２に当接するようになり、Ｒをつけられた角部を摺接させながら回転していく。
【００２２】
さらに把持部１３を引き上げて開封刃Ｃを回動させていくと、図５に示すように、切断刃１２がさらに下方に回転し、密封シート３の開口を大きくしていく。
そして、図５（ｃ）に示すように、支持部１０がさらに回転し、突出部２７は側壁２２を摺動して乗り越え、ついには段部２８に係合する。
このとき、使用者には突出部２７が段部２８に係合したことによるクリック感があり、開封操作が最終段階にあることが確認できる。
【００２３】
その後、操作部１８を元の位置に戻すように押し下げ方向に操作すると、刃部１４は、突出部２７が段部２８に係合した支持部１０とともに回転を阻止されるため、図６に示すように、ブリッジ１６の弱化部２０が破断して操作部１８だけがタブヒンジ１５を変形させながらタブヒンジ１５を支点に下方に回転する。
操作部１８が下方に回転していくと、把持部１３の下面が突出リブ２９に当接するようになるが、さらに操作部１８に力を加えていくと、図７に示すように、ついには操作部１８が突出リブ２９を乗り越えるところまで回転し、その後は使用者が手を離しても、把持部１３の上面が突出リブ２９に当接し、タブヒンジ１５の復元力により操作部１８が上方に回転するのを阻止することができる。
【００２４】
このように、本実施例の開封刃付き容器は、開封刃Ｃを回転させて密封シート３を破断開口した後、刃部１４を下方に回転した位置に保持するとともに、刃部１４と連結するブリッジ１６を切り離して操作部１８だけを下方に押し下げた状態に保持することができるから、容器を開封した後に、開封刃Ｃの刃部１４が内容物を注出する際の妨げとなることがない。
また、上蓋Ｂに唇をつけて内容物を飲む場合でも、開封刃Ｃの操作部１８が顔に当たったりして邪魔になり飲みにくいということがない。
さらに、上蓋Ｂは開封刃Ｃとともに合成樹脂により一体成形することができるから、成形も容易で清潔な容器とすることができる。
【産業上の利用可能性】
【００２５】
本実施例の開封刃付き容器は、上蓋に密封シートを破断する開封刃が付いているので容器を簡単かつ清潔に開封することができるから、飲料、食品などを充填する容器として広く利用することができる。
とくに、本実施例の開封刃付き容器は、内容物を注出する際に開封刃が邪魔になることがないから、コーヒーや紅茶など、直接唇をつけて飲む飲料などの用途に適用して好適な容器である。
【符号の説明】
【００２６】
Ａ              容器本体
Ｂ              上蓋
Ｃ              開封刃
Ｓ              開口部
１              口部
２              フランジ部
３              密封シート
５              装着部
６              天面壁
８              環状凹部
９              支持壁
１０              支持部
１１              両側端面
１２              切断刃
１３              把持部
１４              刃部
１５              タブヒンジ
１６              ブリッジ
１８              操作部
１９              後端面
２０              弱化部
２２              側壁
２３              凹所
２５              両端ヒンジ
２６              切欠き部
２７              突出部（係合部）
２８              段部
２９              突出リブ（ストッパ）
【図１】
0006328065.tif 000002
【図２】
0006328065.tif 000003
【図３】
0006328065.tif 000004
【図４】
0006328065.tif 000005
【図５】
0006328065.tif 000006
【図６】
0006328065.tif 000007
【図７】
0006328065.tif 000008